(57)【要約】【課題】１枚のプリントされた写真から、ユーザーが簡単にその写真が絵画風に変換された画像を見ることができ、それによってユーザーをウエブサイトへ誘導すること。【解決手段】プリント媒体１０にプリントされた写真２１と一緒にプリントされたマーカー２２を端末１−１のカメラで読み取ることにより、マーカー２２が示すサーバーのＵＲＬアドレスの場所にリンクし、その場所に記憶されている写真２１を絵画調の画像に絵画変換した絵画調画像データ３２をダウンロードして表示部３１に表示する。【選択図】図２Ａ
2013065225.tif 000002
【特許請求の範囲】
【請求項１】
端末とサーバーとを含み、画像をプリントするプリントシステムであって、
前記サーバーは、
端末からアップロードされたオリジナル画像データを記憶する第１の記憶手段と、
前記第１の記憶手段に記憶されたオリジナル画像データを複数種類の絵画調の画調からなる絵画調画像データに変換する画調変換手段と、
前記画調変換手段により変換された絵画調画像データを所定の場所に記憶する第２の記憶手段と、
前記オリジナル画像データを、前記絵画調画像データの記憶された場所を示すマーカーとともにプリント媒体にプリントさせるプリント制御手段と、
を含み、
前記端末は、
前記オリジナル画像データを前記サーバーにアップロードするアップロード手段と、
前記プリント媒体にプリントされたマーカーを読み取り、該マーカーが示す場所に記憶されている前記絵画調画像データをダウンロードして表示部に表示させる表示制御手段と、
を含むことを特徴とするプリントシステム。
【請求項２】
前記端末の表示制御手段は、前記サーバーの画調変換手段により前記オリジナル画像データから変換された複数種類の絵画調の画像をダウンロードして表示部に一覧表示させることを特徴とする請求項１記載のプリントシステム。
【請求項３】
オリジナル画像データを記憶する第１の記憶手段と、
前記第１の記憶手段に記憶されたオリジナル画像データを絵画調の画調からなる絵画調画像データに変換する画調変換手段と、
前記画調変換手段により変換された絵画調画像データを所定の場所に記憶する第２の記憶手段と、
前記オリジナル画像データを前記絵画調画像データの記憶された場所を示すマーカーとともにプリント媒体にプリントさせるプリント制御手段と、
を有することを特徴とするサーバー。
【請求項４】
画像をプリントする方法であって、
オリジナル画像データを、ネットワークを介して接続可能な端末から受信する工程と、
受信したオリジナル画像データを複数種類の絵画調の画調からなる絵画調画像データに変換する工程と、
変換された絵画調画像データを所定の場所に記憶する工程と、
絵画調の画像の種類を指定する情報を前記端末から受信する工程と、
前記オリジナル画像データを、前記指定された絵画調画像データを記憶している場所を示すマーカーとともにプリント媒体にプリントさせる工程と、
を含むことを特徴とするプリント方法。
【請求項５】
コンピュータにより読み取り実行可能なプログラムであって、前記コンピュータに、
オリジナル画像データを絵画調の画調からなる絵画調画像データに変換するステップと、
前記変換された絵画調画像データを所定の場所に記憶するステップと、
前記変換された絵画調画像データが記憶された場所を示すマーカーを作成するステップと、
前記オリジナル画像データを、前記作成されたマーカーとともにプリント媒体にプリントさせるステップと、
を実行させることを特徴とするプログラム。
【請求項６】
端末とサーバーとを含み、画像をプリントするプリントシステムであって、
前記サーバーは、
端末からアップロードされたオリジナル画像データを記憶する第１の記憶手段と、
前記第１の記憶手段に記憶されたオリジナル画像データを複数種類の絵画調の画調からなる絵画調画像データに変換する画調変換手段と、
前記画調変換手段により変換された絵画調画像データを所定の場所に記憶する第２の記憶手段と、
前記オリジナル画像データを、前記絵画調画像データの記憶された場所を示すマーカーとともにプリント媒体にプリントさせるプリント制御手段と、
端末に操作メニューを表示させるための制御データを送信する送信制御手段と、
前記端末に表示された操作メニューの該端末の操作により、該端末から送信されてくる操作信号を受信し、該操作信号に応じた制御を行う操作制御手段と、
を備え、
前記端末は、
前記オリジナル画像データを前記サーバーにアップロードするアップロード手段と、
前記プリント媒体にプリントされたマーカーを読み取り、前記サーバーの該マーカーが示す場所に記憶されている絵画調画像データをダウンロードして表示部に表示させる表示制御手段と、
を備えるとともに、
前記表示制御手段は、表示部に操作メニューを表示させるメニュー表示手段と、
前記操作メニューが操作されたとき操作信号を前記サーバーに送信する送信手段と、
を有することを特徴とするプリントシステム。
【発明の詳細な説明】
【技術分野】
【０００１】
本発明は、写真をインターネットで注文してプリントするプリントシステム、サーバー、プリント方法並びにプログラムに関する。
【背景技術】
【０００２】
デジタルカメラで撮影した写真を、インターネットを介してプリント業者に注文し、印画紙等のプリント媒体にプリントされた写真を郵送で受け取るプリントサービスが普及している。
しかし、このサービスは、注文したユーザーがプリントされた写真を受け取ることで完結してしまう。デジタルカメラで撮影した写真はデジタルの画像データなので様々な加工が可能であり、インターネットでの送信も容易なので、ビジネス機会の拡大が要望されていた。
【０００３】
画像データを加工する技術としては、写真を絵画調の画調からなる絵画調画像データに変換する絵画変換技術がある（例えば、特許文献１参照）。
また、このような絵画変換技術を採用して、ユーザーがアップロードした写真を絵画調画像データに変換するウエブサイトもある。
しかしながら、このようなウエブサイトの存在はユーザーに十分知られているとは言えず、ビジネス機会を広げるためにもユーザーにこのようなサイトの存在を認知させ、誘導することが課題であった。
【０００４】
そこで、写真とともにウエブサイトのＵＲＬアドレス若しくはそれを示すＱＲコード（登録商標）等の二次元バーコードをプリントし、携帯電話やスマートフォン等でその二次元バーコードを読み取ることによってウエブサイトにアクセスするものがある（例えば、特許文献２、特許文献３参照）。
【０００５】
特許文献２記載の技術は、動画データの１フレームに相当する静止画像（プレビュー用画像）と該動画データのダウンロード先をＵＲＬなどで指定する情報を埋め込んだ二次元バーコードとを含んだプリントデータを作成し、静止画から生成された動画像の一シーンをあたかもプレビュー表示したように他人に見せることができるプリント物を提供するものである。
【０００６】
しかしながら、この特許文献２記載の技術では、予めシナリオデータを作成しなければならないという課題があった。すなわち、シナリオデータは、元画像およびそれに付随する文書、キャラクタ、アイコンなどの各種オブジェクトの表示状態（配置座標、サイズ、色など）を時間軸に沿って規定したもので、動画データは、このシナリオデータに記述された編集条件に従って生成する必要がある。
【０００７】
また、特許文献３記載の技術は、ネットワークを通じてプリント注文を受け付けた画像に付加された音声情報等の付加情報を仕上がりの写真プリントを利用してユーザーが簡単に入手することができるサービスを実現するもので、付加情報にアクセスするためのＵＲＬを発行し、このＵＲＬをＱＲコード（登録商標）（以下、二次元バーコードという）に変換し、画像と二次元バーコードとをプリント装置に送信してプリント用紙に画像とともに二次元バーコードを印刷した写真プリントを作成する。写真プリント上の二次元バーコードをカメラ付き携帯電話で読み取り、該二次元バーコードを解読して得たＵＲＬでアクセスが行われると、そのＵＲＬに対応して管理されている画像の付加情報をデータベースから読み出してアクセスしたカメラ付き携帯電話に送信するものである。
【０００８】
しかしながら、ユーザーが入手できるものはプリント注文を受け付けた画像に付加された音声情報等の付加情報しかないという課題があった。
【０００９】
すなわち、特許文献２記載の技術のようにシナリオデータを作成するという複雑な作業を必要としたり、特許文献３記載の技術のように写真の付加情報しか得られないのでは、ユーザーを当該ウエブサイトへ誘導する訴求力に乏しいという課題があった。
【先行技術文献】
【特許文献】
【００１０】
【特許文献１】特開２０１１−１６６２１７号公報
【特許文献２】特開２００７−１９３６０９号公報
【特許文献３】特開２００５−１０８２００号公報
【発明の概要】
【発明が解決しようとする課題】
【００１１】
本発明は上記事情に鑑みてなされたもので、１つの目的は、１枚のプリントされた写真から、ユーザーが簡単にその写真が絵画調に変換された様子を見ることができ、それによって興味を抱かせ、ユーザーを当該ウエブサイトへ誘導することである。
また、他の目的は、ユーザーが自分の写真（オリジナル画像データ）を簡単な操作で絵画変換できることである。
【課題を解決するための手段】
【００１２】
本発明は、上記目的を達成するため、端末とサーバーとを含み、画像をプリントするプリントシステムであって、前記サーバーは、端末からアップロードされたオリジナル画像データを記憶する第１の記憶手段と、前記第１の記憶手段に記憶されたオリジナル画像データを複数種類の絵画調の画調からなる絵画調画像データに変換する画調変換手段と、前記画調変換手段により変換された絵画調画像データを所定の場所に記憶する第２の記憶手段と、前記オリジナル画像データを、前記絵画調画像データの記憶された場所を示すマーカーとともにプリント媒体にプリントさせるプリント制御手段と、を含み、前記端末は、前記オリジナル画像データを前記サーバーにアップロードするアップロード手段と、前記プリント媒体にプリントされたマーカーを読み取り、該マーカーが示す場所に記憶されている前記絵画調画像データをダウンロードして表示部に表示させる表示制御手段と、を含むことを特徴とするプリントシステムを提供するものである。
また、本発明は、端末とサーバーとを含み、画像をプリントするプリントシステムであって、前記サーバーは、端末からアップロードされたオリジナル画像データを記憶する第１の記憶手段と、前記第１の記憶手段に記憶されたオリジナル画像データを複数種類の絵画調の画調からなる絵画調画像データに変換する画調変換手段と、前記画調変換手段により変換された絵画調画像データを所定の場所に記憶する第２の記憶手段と、前記オリジナル画像データを、前記絵画調画像データの記憶された場所を示すマーカーとともにプリント媒体にプリントさせるプリント制御手段と、端末に操作メニューを表示させるための制御データを送信する送信制御手段と、前記端末に表示された操作メニューの該端末の操作により、該端末から送信されてくる操作信号を受信し、該操作信号に応じた制御を行う操作制御手段と、を備え、前記端末は、前記オリジナル画像データを前記サーバーにアップロードするアップロード手段と、前記プリント媒体にプリントされたマーカーを読み取り、前記サーバーの該マーカーが示す場所に記憶されている絵画調画像データをダウンロードして表示部に表示させる表示制御手段と、を備えるとともに、前記表示制御手段は、表示部に操作メニューを表示させるメニュー表示手段と、前記操作メニューが操作されたとき操作信号を前記サーバーに送信する送信手段と、を有することを特徴とするプリントシステムを提供するものである。
【発明の効果】
【００１３】
１枚のプリントされた写真から、ユーザーが簡単にその写真が絵画調に変換された様子を見ることができる。
また、ユーザーが自分の写真（オリジナル画像データ）を簡単な操作で絵画変換することができる。
【図面の簡単な説明】
【００１４】
【図１】本発明に係る一実施形態のネットワークシステムの構成を示すブロック図である。
【図２Ａ】同実施形態において、プリント媒体に写真とマーカーがプリントされている状態を示す図である。
【図２Ｂ】同実施形態において、プリント媒体にプリントされたマーカーを端末により読み取る状態を説明するための図である。
【図３】同実施形態において、サーバーの構成を示すブロック図である。
【図４】（Ａ）は同実施形態において、写真のプリントを発注した場合の流れを説明するためのフローチャートであり、（Ｂ）は同実施形態において、プリント媒体にプリントされたマーカーを端末で読み取った場合の流れを説明するためのフローチャートである。
【図５】同実施形態において、画像データの絵画変換処理を説明するためのフローチャートである。
【図６】同実施形態において、複数種類の絵画調画像データを端末に表示している状態を示す図である。
【図７】同実施形態において、操作メニューを端末に表示している状態を示す図である。
【発明を実施するための形態】
【００１５】
図１は、本発明に係る一実施形態のプリントシステムの構成を示すブロック図である。１−１、１−２、１−３、・・・はパーソナルコンピュータ（ＰＣ）やスマートフォン、携帯電話、情報端末などのいわゆる端末であり、インターネット５００を介して画像サービスサイト１０と接続可能である。
【００１６】
画像サービスサイト１０は、ユーザーから写真のプリントの注文を受けてデジタルの画像データからプリント媒体に画像をプリントするサービスや、ユーザーからアップロードされた画像データを絵画調の画調からなる絵画調画像データに変換するサービス、投稿された写真を公開するサービス等を行うウエブサイトである。
この画像サービスサイト１０は、サーバー１１を有し、上記各種サービスに係る処理を行うとともに、プリント装置１２を有し、ユーザーから注文を受けた写真のプリントを行う。プリント装置１２は、は画像サービスサイト１０の中にある必要はなく、他のプリントサイトに委託するものも含む。
【００１７】
図２Ａは、ユーザーから注文を受けた写真のプリントについて説明するもので、単に写真をプリントするだけでなく、紙や印画紙等のプリント媒体２０に写真２１をプリントし、その端にＱＲコード（登録商標）等からなるマーカー２２をプリントする。
【００１８】
そして図２Ｂに示すように、端末１−１の裏面にある図示しないカメラでマーカー２２を読み取る。マーカー２２は画像サービスサイト１０のサーバー１１のＵＲＬアドレスを示しているため、端末１−１は画像サービスサイト１０に接続して、ユーザーが注文してプリントされた写真２１（オリジナル画像データ）が絵画変換された絵画調の画調からなる絵画調画像データを、サーバー１１から端末１−１にダウンロードする。そして、表示部３１に絵画調画像データ３２を表示することができる。
【００１９】
図３はサーバー１１の構成を示すブロック図であり、１３はユーザーがアップロードした写真（オリジナル画像データ）を記憶するための記憶部、１４は、オリジナル画像データを絵画調の画像に変換した絵画調画像データが記憶される記憶部、１５は、サーバー１１と端末１−１のリンクを制御するためのリンク制御プログラムが記憶されている記憶部、１６は、絵画変換のアルゴリズムに沿って絵画変換処理を実行する絵画変換プログラム及び絵画変換に必要なエフェクト処理のためのパラメータが記憶されている記憶部、１７は、注文を受けた写真と、その写真（オリジナル画像データ）を絵画変換した絵画調画像データを記憶している場所を示すマーカーとともにプリントさせるためのプリント制御プログラムが記憶されている記憶部である。
【００２０】
ここで、絵画変換プログラムで絵画変換処理が可能な絵画調の画調の種類としては、油絵画調、水彩画調、パステル画調、色鉛筆画調、ゴシック画調、エアブラシ画調、野獣派画調、ししゅう画調、イラスト画調、淡い水彩画調、クレヨン画調、ガッシュ画調、シルクスクリーン画調、コラージュ画調、ドローイング画調、重厚な油彩画調、の１６種類が用意されている。
【００２１】
１５Ａはリンク制御プログラムが記憶される記憶部１５のスタートアドレスであり、１４Ａは絵画調画像データが記憶される記憶部１４のスタートアドレスである。このスタートアドレスを指定することにより、各種リンク制御プログラムや各種絵画調画像データを指定する。
【００２２】
図４（Ａ）は、写真のプリントを発注した場合の流れを説明するためのフローチャートである。手順に沿って説明しているので、端末１−１によって行われる処理とサーバー１１によって行われる処理が１つのフローチャートに記載してある。
【００２３】
まずユーザーは、自分の写真をインターネット経由で画像サービスサイト１０にプリントを発注したい場合、端末１−１からサーバー１１へアップロードを行う（ステップＳ４０１）。その際、プリント枚数プリントサイズ等の指定もする。
【００２４】
サーバー１１側では、アップロードされた写真、すなわちオリジナル画像データをオリジナル画像データ記憶部１３に記憶する（ステップＳ４０２）。そしてステップＳ４０３でそのオリジナル画像データに対し絵画変換プログラムにより絵画変換処理を行う。画調の種類は、上述したとおり１６種類あるが、ここでは１６種類すべてを作成して絵画調画像データ記憶部１４に記憶するものとする（ステップＳ４０４）。画調の種類の指定を受けてから、その指定された画調の絵画調画像データに変換することもできる。
【００２５】
続いて、絵画調画像データ記憶部１４の先頭アドレス１４Ａ、すなわち絵画調画像データが記憶されている場所を示すマーカーを作成する（ステップＳ４０５）。マーカーは例えばＱＲコード（登録商標）である。１６種類の絵画調画像データのうちどのアドレスを指定するかは任意であるが、ここでは、代表的な画調である油絵調の絵画調画像データのアドレスを指定するものとする。
【００２６】
続いて、ステップＳ４０６でこの作成したマーカー２２とオリジナル画像データ２１とを同じプリント媒体２０にプリントする。これは画像サービスサイト１０内で行ってもよいし、別のプリントサーバーやプリント業者に対してプリント指示を行ってもよい。
そして、そのオリジナル画像データ２１とマーカー２２の両方がプリントされたプリント媒体１０をユーザーに郵送する（ステップＳ４０７）。
【００２７】
図４（Ｂ）はユーザーの端末１−１側の操作手順を示すフローチャートである。端末１−１に備えられているカメラでプリント媒体２０にプリントされているマーカー２２を撮影する（ステップＳ４１１）。そうすると、端末１−１はマーカー２２を認識し、そのマーカー２２の指定しているサーバー１１のリンク先、すなわち絵画調画像データの記憶されている場所に自動的に接続する（ステップＳ４１２）。この際、一旦リンク先のＵＲＬアドレスを表示してクリックを要求するかどうかは設計事項なので、直接絵画調画像データの記憶されている場所に接続するものとする。そしてその場所に記憶されている絵画調画像データ３２を、この場合は油絵調の絵画調画像データを端末１−１にダウンロードして（ステップＳ４１３）、表示部３１に表示する（ステップＳ４１４）。
【００２８】
このようにすることによって、ユーザーは端末１−１をプリント媒体２０上にかざすだけで、自分の写真２１を絵画調に変換した画像の様子を見ることができる。これでユーザーが絵画変換に興味を持てば、画像サービスサイト１０へアクセスする可能性が高まる。
【００２９】
図５は、絵画変換プログラム記憶部１６に記憶されている絵画変換プログラムによる絵画変換処理を示すフローチャートである。
まず前処理を行う（ステップＳ５０２）。ここは画調の種類にかかわらず共通して実行される処理で、絵画変換処理は画像データがビットマップ形式である必要があるので、ＪＰＥＧ形式で表現されている画像データをビットマップ形式に変換する。また、フィルタをかけてノイズ除去を行う。
【００３０】
続いて、画調選択処理を行う（ステップＳ５０４）。
画調が選択されると、それぞれの画調変換アルゴリズムのステップへ移る。例えば油絵調変換であればステップＳ５０６へ、水彩画調変換であればステップＳ５１０へ進む。それ以外であればその他の画調変換アルゴリズムのステップへと進む（ステップＳ５２０）。
なお、絵画変換処理の各アルゴリズムを実行する際は、変換に必要なエフェクト処理のための各種パラメータを取得する（ステップＳ５０８、ステップＳ５１２）。パラメータは絵画変換プログラム記憶部１６内に有している。
【００３１】
エフェクト処理はフォトレタッチソフトなどで採用されているエフェクト処理と基本的には同じ効果を得るものである。
また、エフェクト処理の一種として、ＨＤＲ（High Dynamic Range）と呼ばれる通常の写真では表現できない広いダイナミックレンジの写真を、トーンマッピングにより狭いダイナミックレンジ幅内に入れ込むことで露出過多の白飛びや露出不足の黒つぶれを補正して表現力を増大するエフェクト処理もある。このエフェクト処理を応用して写真を人の脳が受けた記憶や印象に近づけ、芸術的な表現を加味した新しい写真表現を実現した画像を得ることもできる。
【００３２】
そしてステップＳ５２２、ステップＳ５０４を経由して上述した１６種類の絵画変換処理を行う。
なお、１６種類の絵画変換処理は端末１−１の表示部３１で見ることを想定しているので、それほど大きい画像は必要なく、例えばオリジナル画像データを８００×６００画素程度にリサイズしたリサイズ画像データに対して処理を実施している。オリジナル画像データは一般的に４０００×３０００程度の非常に大きなものである。そこで、プリント発注等の特定の画調の決定が行われると（ステップＳ５２２）、ステップＳ５２４に進み、オリジナル画像データについて絵画変換処理を行う（ステップＳ５２４）。この際、必要なパラメータを取得する（ステップＳ５２６）のは同様である。
【００３３】
しかる後、絵画変換後の絵画調画像データを再びＪＰＥＧ形式に変換する後処理を行う（ステップＳ５２８）。
オリジナル画像データの絵画変換が必要ない場合は、ステップＳ５２４、ステップＳ５２６はスキップして良い。
【００３４】
図６は本実施形態において、端末１−１の表示部３１に複数種類の絵画調画像データを表示する状態を示すものである。すなわち、端末１−１の表示部３１に１６種類の絵画調画像データの縮小画像４１ａ、４２ｂ、・・・を一覧表示している（符号４１）。４１ａは油絵画調、４１ｂは水彩画調、４１ｃはパステル画調、４１ｄは色鉛筆画調、４１ｅはゴシック画調、・・・に変換された絵画調画像データを示している。
端末１−１の表示部３１はタッチパネルを有しており、いずれかの縮小画像４１ａ、４２ｂ、・・・をタッチするとその画像が拡大表示されて図７に示すようなメニュー表示が出てくる。
【００３５】
図７において３２は選択された画調の絵画調画像データであり、４２はメニュー表示である。
端末１−１の表示ブラウザは例えばＨＴＭＬ５若しくはＣＳＳ３（スタイルシート）等を使用して構成されており、機種に依存しない互換性のあるもので、サーバー１１のリンク制御プログラム記憶部１６に記憶されたリンク制御プログラムと連携を取ることができる。
すなわち、端末１−１の表示部３１のタッチパネル上で、操作メニュー４２のいずれかのメニューを操作すると、その操作信号を、インターネット５００を介してサーバー１１に送信し、対応するリンク制御プログラム記憶部１６のアドレス１６Ａへ飛び、サーバー１１のリンク制御プログラムがそれに対応した処理を実行する。
【００３６】
例えば、絵画調画像データ３２が表示されている状態で操作メニュー表示４２の「次へ」キーまたは「戻る」キーを押すと、図６で一覧表示された種類の画調の絵画調画像データを１枚ずつ順送りまたは逆送りされて表示される。表示部３１のタッチパネルの絵画調画像データ３２の部分にタッチしてページ送りする（スワイプする）ことも可能である。
「一覧表示」キーを押すと図６に示す一覧表示状態となる。
「拡大表示」キーを押すと現在表示されている表示が拡大され、画像の細部を見ることができる。前述したとおり端末１−１の表示部３１の画素数は８００×６００画素程度であり、実際の画像データは４０００×３０００画素程度あるので、拡大することによってより実物に近い画像の細部を確認することができる。
【００３７】
また、絵画調画像データをプリント発注したい場合は、「サイズ指定」キーでプリントサイズを選び、「額縁指定」キーで額縁の有無や種類を選び、「媒体指定」キーでプリント媒体としてキャンバス地、マグカップ、Ｔシャツ、・・・等を選択する。最終的に「プリント注文」キーを押すことで発注される。
もちろん、１つの操作キーを押すとサブメニューを表示させることができるようになっている。
【００３８】
以上の操作は画像サービスサイト１０を特に意識することなく絵画調画像データの選択、表示、プリント注文等ができるが、「トップページ」キーを操作することにより、画像サービスサイト１０のトップページを表示部３１に表示する。そしてプリント注文に限らず、他のユーザーの投稿した写真を閲覧したり、自分の写真を投稿したりすることができる。
この場合、端末１−１がパーソナルコンピュータやスマートフォンの場合は画像サービスサイト１０の通常のホームページが表示されるが、携帯電話の場合は携帯電話専用のモバイルページへ飛ぶようにしてもよい。
ユーザーが興味を持てば、画像サービスサイト１０のトップページにアクセスするので、ウエブサイトへの誘導が可能である。
【００３９】
以上説明したように、ユーザーは簡単な操作で、オリジナル画像データを絵画変換した場合の様子をその場で見ることができ、気に入った画調の絵画調画像データが見つかったら、その画像のプリントを発注することができる。更に、マグカップやＴシャツなどのプリント媒体を選んだり、額縁を選んだりすることができる。
ユーザーがプリントを注文した写真に「おまけ」としてついてくるマーカーを読み取るだけで画像サービスサイトとの連携が発生するので、ウエブサイトへのアクセス機会が増大し、当該ウエブサイトへの誘導、認知度向上が期待できる。
更に、画像サービスサイトへプリントを発注したユーザーは画像サービスサイトの存在は知っているわけであるが、プレゼント等でプリントされた写真をもらった人はそのウエブサイトの存在を知らないわけで、写真をもらった人がマーカーから絵画調画像データを見ることによって興味を持てば、新たな顧客開拓の機会へつなげることができる。
【００４０】
なお、上記実施形態では、マーカーとしてＱＲコード（登録商標）を使用したが、これに限ることなく、二次元バーコードや一次元バーコードでもよく、写真２１上に目に見えない形式で埋め込むように構成することもできる。
また、図７では画像データの表示とメニュー表示を同時に行っている例を示したが、全面表示メニューにしてもよいことは勿論である。
また、端末１−１とサーバー１１の連携についてはリンク制御プログラムが制御するようにしてサーバー主体で動作するようにしているが、アプリケーションプログラムを端末１−１にダウンロードしてインストールし、端末主体で動作するようにしてもよい。
【００４１】
以下に、本発明の特許請求の範囲に記載された発明を付記する。
[請求項１]
端末とサーバーとを含み、画像をプリントするプリントシステムであって、
前記サーバーは、
端末からアップロードされたオリジナル画像データを記憶する第１の記憶手段と、
前記第１の記憶手段に記憶されたオリジナル画像データを複数種類の絵画調の画調からなる絵画調画像データに変換する画調変換手段と、
前記画調変換手段により変換された絵画調画像データを所定の場所に記憶する第２の記憶手段と、
前記オリジナル画像データを、前記絵画調画像データの記憶された場所を示すマーカーとともにプリント媒体にプリントさせるプリント制御手段と、
を含み、
前記端末は、
前記オリジナル画像データを前記サーバーにアップロードするアップロード手段と、
前記プリント媒体にプリントされたマーカーを読み取り、該マーカーが示す場所に記憶されている前記絵画調画像データをダウンロードして表示部に表示させる表示制御手段と、
を含むことを特徴とするプリントシステム。
[請求項２]
前記端末の表示制御手段は、前記サーバーの画調変換手段により前記オリジナル画像データから変換された複数種類の絵画調の画像をダウンロードして表示部に一覧表示させることを特徴とする請求項１記載のプリントシステム。
[請求項３]
オリジナル画像データを記憶する第１の記憶手段と、
前記第１の記憶手段に記憶されたオリジナル画像データを絵画調の画調からなる絵画調画像データに変換する画調変換手段と、
前記画調変換手段により変換された絵画調画像データを所定の場所に記憶する第２の記憶手段と、
前記オリジナル画像データを前記絵画調画像データの記憶された場所を示すマーカーとともにプリント媒体にプリントさせるプリント制御手段と、
を有することを特徴とするサーバー。
[請求項４]
画像をプリントする方法であって、
オリジナル画像データを、ネットワークを介して接続可能な端末から受信する工程と、
受信したオリジナル画像データを複数種類の絵画調の画調からなる絵画調画像データに変換する工程と、
変換された絵画調画像データを所定の場所に記憶する工程と、
絵画調の画像の種類を指定する情報を前記端末から受信する工程と、
前記オリジナル画像データを、前記指定された絵画調画像データを記憶している場所を示すマーカーとともにプリント媒体にプリントさせる工程と、
を含むことを特徴とするプリント方法。
[請求項５]
コンピュータにより読み取り実行可能なプログラムであって、前記コンピュータに、
オリジナル画像データを絵画調の画調からなる絵画調画像データに変換するステップと、
前記変換された絵画調画像データを所定の場所に記憶するステップと、
前記変換された絵画調画像データが記憶された場所を示すマーカーを作成するステップと、
前記オリジナル画像データを、前記作成されたマーカーとともにプリント媒体にプリントさせるステップと、
を実行させることを特徴とするプログラム。
[請求項６]
端末とサーバーとを含み、画像をプリントするプリントシステムであって、
前記サーバーは、
端末からアップロードされたオリジナル画像データを記憶する第１の記憶手段と、
前記第１の記憶手段に記憶されたオリジナル画像データを複数種類の絵画調の画調からなる絵画調画像データに変換する画調変換手段と、
前記画調変換手段により変換された絵画調画像データを所定の場所に記憶する第２の記憶手段と、
前記オリジナル画像データを、前記絵画調画像データの記憶された場所を示すマーカーとともにプリント媒体にプリントさせるプリント制御手段と、
端末に操作メニューを表示させるための制御データを送信する送信制御手段と、
前記端末に表示された操作メニューの該端末の操作により、該端末から送信されてくる操作信号を受信し、該操作信号に応じた制御を行う操作制御手段と、
を備え、
前記端末は、
前記オリジナル画像データを前記サーバーにアップロードするアップロード手段と、
前記プリント媒体にプリントされたマーカーを読み取り、前記サーバーの該マーカーが示す場所に記憶されている絵画調画像データをダウンロードして表示部に表示させる表示制御手段と、
を備えるとともに、
前記表示制御手段は、表示部に操作メニューを表示させるメニュー表示手段と、
前記操作メニューが操作されたとき操作信号を前記サーバーに送信する送信手段と、
を有することを特徴とするプリントシステム。
【符号の説明】
【００４２】
１−１、１−２、１−３、・・・  端末
１０  画像サービスサイト
１１  サーバー
１２  プリント装置
１３  オリジナル画像データ記憶部
１４  絵画調画像データ記憶部
１４Ａ  絵画調画像データのアドレス
１５  リンク制御プログラム記憶部
１５Ａ  リンク制御プログラムのアドレス
１６  絵画変換プログラム記憶部
１７  プリント制御プログラム記憶部
２０  プリント媒体
２１  写真
２２  マーカー
３１  表示部
３２  絵画調画像データ
４１  一覧表示
４１ａ、４１ｂ、・・・  縮小画像
４２  メニュー表示
５００  インターネット
【図１】
2013065225.tif 000003
【図２Ａ】
2013065225.tif 000004
【図２Ｂ】
2013065225.tif 000005
【図３】
2013065225.tif 000006
【図４】
2013065225.tif 000007
【図５】
2013065225.tif 000008
【図６】
2013065225.tif 000009
【図７】
2013065225.tif 000010